【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
熱可塑性樹脂及びニグロシンを含有し０．１〜０．５の吸光度ａ１を有しているレーザー光照射側樹脂部材である第１樹脂部材と、前記熱可塑性樹脂と同種又は異種の熱可塑性樹脂を含有し０．０１〜０．０９８の吸光度ａ２を有する第２樹脂部材とが、重なっていることにより形成されている接触部位の少なくとも一部で、レーザー溶着されており、前記吸光度ａ１と前記吸光度ａ２との吸光度比ａ１／ａ２が１．３〜４５であることを特徴とするレーザー溶着体。
【請求項２】
前記第１樹脂部材が前記ニグロシンの含有量を０．０１〜０．２質量％としており、前記ニグロシンの体積抵抗率が、０．５×１０９〜５．０×１０１１Ω・ｃｍであることを特徴とする請求項１に記載のレーザー溶着体。
【請求項３】
レーザー溶着されている前記接触部位の少なくとも一部で、前記第２樹脂部材よりも前記第１樹脂部材側に広がった融着部位を有していることを特徴とする請求項１又は２に記載のレーザー溶着体。
【請求項４】
前記ニグロシンがニグロシン硫酸塩であり、前記ニグロシン硫酸塩の硫酸イオン濃度が０．３〜５質量％であることを特徴とする請求項１から３のいずれかに記載のレーザー溶着体。
【請求項５】
前記第１樹脂部材のメルトフローレートが、１１〜３０ｇ／１０分であることを特徴とする請求項１から４のいずれかに記載のレーザー溶着体。
【請求項６】
前記吸光度ａ２が、０．０１〜０．０９であることを特徴とする請求項１から５のいずれかに記載のレーザー溶着体。
【請求項７】
前記第１樹脂部材の端部同士及び／又は前記第２樹脂部材の端部同士が隣り合って接触していることにより形成されている当接部位の少なくとも一部で、前記端部同士がレーザー溶着されていることを特徴とする請求項１から６のいずれかに記載のレーザー溶着体。
【請求項８】
前記第１樹脂部材及び／又は前記第２樹脂部材が、前記当接部位で接触した複数の樹脂部材片に分割されていることを特徴とする請求項１から７のいずれかに記載のレーザー溶着体。
【請求項９】
前記第２樹脂部材が二つの前記樹脂部材片に分割されており、それらの吸光度ａ２−１及び吸光度ａ２−２が０．０５〜０．０９であり、前記吸光度ａ１と前記吸光度ａ２−１との吸光度比ａ１／ａ２−１、又は前記吸光度ａ１と前記吸光度ａ２−２との吸光度比ａ１／ａ２−２が、１．３〜４５であることを特徴とする請求項１から８のいずれかに記載のレーザー溶着体。
【請求項１０】
前記第１樹脂部材と前記第２樹脂部材とが、それらの端部で突き合わされていることにより形成されている突合せ部位を有していることを特徴とする請求項１から９のいずれかに記載のレーザー溶着体。
【請求項１１】
前記第２樹脂部材が、アントラキノンを含む着色剤及び／又はニグロシンを含有していることを特徴とする請求項８から１０のいずれかに記載のレーザー溶着体。
【請求項１２】
前記熱可塑性樹脂が、ポリアミド樹脂、ポリカーボネート樹脂、ポリフェニレンサルファイド樹脂、ポリエチレンテレフタレート樹脂、ポリブチレンテレフタレート樹脂、及びポリプロピレン樹脂から選ばれる少なくとも一つであることを特徴とする請求項１から１１のいずれかに記載のレーザー溶着体。
【請求項１３】
熱可塑性樹脂及びニグロシンを含有し０．１〜０．５の吸光度ａ１を有する第１樹脂部材と、前記熱可塑性樹脂と同種又は異種の熱可塑性樹脂を含有し０．０１〜０．０９８の吸光度ａ２を有する第２樹脂部材とを、重ね合わせてそれらの界面に接触部位を形成し及び／又はそれらの端部を突き合わせて突合せ部位を形成し、
前記接触部位及び／又は前記突合せ部位に前記第１樹脂部材側からレーザー光を照射して前記接触部位及び／又は前記突合せ部位を溶融させることにより、第１樹脂部材と第２樹脂部材とを溶着することを特徴とするレーザー溶着体の製造方法。
【請求項１４】
前記レーザー光を照射することにより、前記第１樹脂部材に溶融を生じさせてから前記接触部位に向かって前記溶融を成長させることを特徴とする請求項１３に記載のレーザー溶着体の製造方法。
【手続補正２】
【補正対象書類名】明細書
【補正対象項目名】００１４
【補正方法】変更
【補正の内容】
【００１４】
前記の目的を達成するためになされた本発明のレーザー溶着体は、熱可塑性樹脂及びニグロシンを含有し０．１〜０．５の吸光度ａ１を有しているレーザー光照射側樹脂部材である第１樹脂部材と、前記熱可塑性樹脂と同種又は異種の熱可塑性樹脂を含有し０．０１〜０．０９８の吸光度ａ２を有する第２樹脂部材とが、重なっていることにより形成されている接触部位の少なくとも一部で、レーザー溶着されており、前記吸光度ａ１と前記吸光度ａ２との吸光度比ａ１／ａ２が１．３〜４５であるものである。
【手続補正３】
【補正対象書類名】明細書
【補正対象項目名】００１５
【補正方法】変更
【補正の内容】
【００１５】
レーザー溶着体は、例えば、前記第１樹脂部材が前記ニグロシンの含有量を０．０１〜０．２質量％としており、前記ニグロシンの体積抵抗率が、０．５×１０９〜５．０×１０１１Ω・ｃｍであるものが挙げられる。
【手続補正４】
【補正対象書類名】明細書
【補正対象項目名】００１６
【補正方法】変更
【補正の内容】
【００１６】
レーザー溶着体は、レーザー溶着されている前記接触部位の少なくとも一部で、前記第２樹脂部材よりも前記第１樹脂部材側に広がった融着部位を有していてもよい。
【手続補正５】
【補正対象書類名】明細書
【補正対象項目名】００１７
【補正方法】変更
【補正の内容】
【００１７】
レーザー溶着体は、前記ニグロシンがニグロシン硫酸塩であり、前記ニグロシン硫酸塩の硫酸イオン濃度が０．３〜５質量％であってもよい。
【手続補正６】
【補正対象書類名】明細書
【補正対象項目名】００１８
【補正方法】変更
【補正の内容】
【００１８】
レーザー溶着体は、前記第１樹脂部材のメルトフローレートが、１１〜３０ｇ／１０分であってもよい。
【手続補正７】
【補正対象書類名】明細書
【補正対象項目名】００１９
【補正方法】変更
【補正の内容】
【００１９】
レーザー溶着体は、例えば、前記吸光度ａ２が、０．０１〜０．０９であるものが挙げられる。
【手続補正８】
【補正対象書類名】明細書
【補正対象項目名】００２０
【補正方法】変更
【補正の内容】
【００２０】
レーザー溶着体は、前記第１樹脂部材の端部同士及び／又は前記第２樹脂部材の端部同士が隣り合って接触していることにより形成されている当接部位の少なくとも一部で、前記端部同士がレーザー溶着されていることが好ましい。
【手続補正９】
【補正対象書類名】明細書
【補正対象項目名】００２１
【補正方法】変更
【補正の内容】
【００２１】
レーザー溶着体は、例えば、前記第１樹脂部材及び／又は前記第２樹脂部材が、前記当接部位で接触した複数の樹脂部材片に分割されているものが挙げられる。
【手続補正１０】
【補正対象書類名】明細書
【補正対象項目名】００２２
【補正方法】変更
【補正の内容】
【００２２】
レーザー溶着体は、前記第２樹脂部材が二つの前記樹脂部材片に分割されており、それらの吸光度ａ２−１及び吸光度ａ２−２が０．０５〜０．０９であり、前記吸光度ａ１と前記吸光度ａ２−１との吸光度比ａ１／ａ２−１、又は前記吸光度ａ１と前記吸光度ａ２−２との吸光度比ａ１／ａ２−２が、１．３〜４５であるものであってもよい。
【手続補正１１】
【補正対象書類名】明細書
【補正対象項目名】００２３
【補正方法】変更
【補正の内容】
【００２３】
レーザー溶着体は、前記第１樹脂部材と前記第２樹脂部材とが、それらの端部で突き合わされていることにより形成されている突合せ部位を有していることが好ましい。
【手続補正１２】
【補正対象書類名】明細書
【補正対象項目名】００２４
【補正方法】変更
【補正の内容】
【００２４】
レーザー溶着体は、前記第２樹脂部材が、アントラキノンを含む着色剤及び／又はニグロシンを含有しているものであってもよい。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
本発明のレーザー溶着体の製造方法は、熱可塑性樹脂及びニグロシンを含有し０．１〜０．５の吸光度ａ１を有する第１樹脂部材と、前記熱可塑性樹脂と同種又は異種の熱可塑性樹脂を含有し０．０１〜０．０９８の吸光度ａ２を有する第２樹脂部材とを、重ね合わせてそれらの界面に接触部位を形成し及び／又はそれらの端部を突き合わせて突合せ部位を形成し、前記接触部位及び／又は前記突合せ部位に前記第１樹脂部材側からレーザー光を照射して前記接触部位及び／又は前記突合せ部位を溶融させることにより、第１樹脂部材と第２樹脂部材とを溶着するというものである。特にニグロシンがニグロシン硫酸塩である場合、高速走査のレーザー溶着に対応できるので、高い作業効率を有する製造方法を提供できる。